(57)【特許請求の範囲】
【請求項１】
回転駆動部と、前記回転駆動部にディスクの中心部をクランプするクランプ機構と、筐体の挿入口から挿入されたディスクを前記回転駆動部に向けて搬入する搬送機構とを有する機構部が設けられたディスク装置において、
前記回転駆動部にクランプされているディスクから外れた位置に有り且つ前記挿入口から操作可能な、搬入動作と排出動作の少なくとも一方においてディスクを検知し、ディスクが前記回転駆動部にクランプされているときに非検知状態となる検知部材が設けられており、
操作部を操作してもディスクを正常に排出できないときに、前記検知部材が前記挿入口からの操作により検知状態に切換えられると、前記機構部にディスク排出動作を実行させる機構制御部が設けられていることを特徴とするディスク装置。
【請求項２】
前記操作部の操作に応じて前記機構制御部に動作指示信号を与える装置制御部が設けられており、操作部を操作しても前記装置制御部から前記機構制御部にディスクを排出させる動作指示信号が正常に与えられないときに、前記検知部材が検知状態に切換えられると、前記機構制御部によって、前記機構部がディスク排出動作を行うように制御される請求項１記載のディスク装置。
【請求項３】
前記機構部のディスク排出動作では、前記クランプ機構によるディスクのクランプが解除され、前記搬送機構により、ディスクが前記挿入口に向けて搬出される請求項１または２記載のディスク装置。
【請求項４】
前記検知部材はディスクの搬送経路上に位置する光検知部であり、前記光検知部の検知光を前記挿入口から挿入された工具で遮断することで、ディスク排出動作が行われる請求項１ないし３のいずれかに記載のディスク装置。
【請求項５】
装置を始動するときに、電力が前記機構制御部に直接に与えられる請求項１ないし４のいずれかに記載のディスク装置。
【発明の詳細な説明】
【技術分野】
【０００１】
本発明は、機構部の動作を制御する機構制御部を有し、機構制御部に対してディスクを排出する動作指示信号が正常に与えられないときであっても、簡単な操作でディスクを排出させることができるディスク装置に関する。
【背景技術】
【０００２】
筐体に形成されたスリット状の挿入口からディスクが挿入されるいわゆるスロットインタイプのディスク装置は、車載用などとして使用されている。このディスク装置は、筐体の内部に、ディスクの中心部を保持する回転駆動部と、搬送ローラを備えた搬送機構と、ディスクの中心部を回転駆動部に保持させるクランプ機構とが設けられている。
【０００３】
ディスクが挿入口から挿入されて、筐体内の検知部がこれを検知すると、搬送機構が始動して、ディスクが回転駆動部に向けて搬入されて、ディスクの中心部が回転駆動部にクランプされる。
【０００４】
以下の特許文献１などに記載されているように、この種のディスク装置は、操作部にイジェクトスイッチが設けられており、イジェクトスイッチを動作させると、クランプ機構によるディスクのクランプが解除され、搬送機構によって、ディスクが筐体の挿入口に向けて搬出される。
【先行技術文献】
【特許文献】
【０００５】
【特許文献１】特開２０００−９０５２９号公報
【発明の概要】
【発明が解決しようとする課題】
【０００６】
しかし、スロットインタイプのディスク装置では、ディスクが筐体の内部に装填されているときに、イジェクトスイッチが故障すると、正常な排出動作ができず、筐体の内部のディスクを取り出すことができなくなる。また、イジェクトスイッチが正常に動作したとしても、マイクロコンピュータの誤動作などでクランプ機構や搬送機構を正常に動作させることができず、ディスク排出動作が行われないこともある。
【０００７】
この場合に、ディスク装置を車体から取り外し、機構を分解してディスクを取り出すなどの保守作業が必要になる。
【０００８】
本発明は上記従来の課題を解決するものであり、イジェクトスイッチの故障やマイクロコンピュータの誤動作などがあったとしても、分解などすることなくディスクを取り出すことができるディスク装置を提供することを目的としている。
【課題を解決するための手段】
【０００９】
本発明は、回転駆動部と、前記回転駆動部にディスクの中心部をクランプするクランプ機構と、筐体の挿入口から挿入されたディスクを前記回転駆動部に向けて搬入する搬送機構とを有する機構部が設けられたディスク装置において、
前記回転駆動部にクランプされているディスクから外れた位置に有り且つ前記挿入口から操作可能な、搬入動作と排出動作の少なくとも一方においてディスクを検知し、ディスクが前記回転駆動部にクランプされているときに非検知状態となる検知部材が設けられており、
操作部を操作してもディスクを正常に排出できないときに、前記検知部材が前記挿入口からの操作により検知状態に切換えられると、前記機構部にディスク排出動作を実行させる機構制御部が設けられていることを特徴とするものである。
【００１０】
本発明のディスク装置は、操作部に設けられたイジェクト操作部が故障したり、あるいは操作部からの操作信号が与えられる装置制御部が誤動作しても、検知部からの検知信号を機構制御部に直接に与えることで、機構制御部を動作させることが可能となる。そのため、機構を分解することなく、ディスクを挿入口から自動的に排出させることができるようになる。
【００１１】
すなわち、本発明は、前記操作部の操作に応じて前記機構制御部に動作指示信号を与える装置制御部が設けられており、操作部を操作しても前記装置制御部から前記機構制御部にディスクを排出させる動作指示信号が正常に与えられないときに、前記検知部材が検知状態に切換えられると、前記機構制御部によって、前記機構部がディスク排出動作を行うように制御されるものとして構成できる。
【００１２】
本発明は、前記機構部のディスク排出動作では、前記クランプ機構によるディスクのクランプが解除され、前記搬送機構により、ディスクが前記挿入口に向けて搬出されるものである。
【００１４】
例えば、前記検知部材はディスクの搬送経路上に位置する光検知部であり、前記光検知部の検知光を前記挿入口から挿入された工具で遮断することで、ディスク排出動作が行われる。
【００１５】
上記のように、ディスクが筐体内に入った状態で正常な排出操作を行えないときは、ディスクを検知する検知部材を人為的に動作させることで、ディスクを自動的に排出させることが可能になる。
【００１６】
本発明は、装置を始動するときに、電力が前記機構制御部に直接に与えられることが好ましい。
【００１７】
上記のように、ディスク装置がどのような動作状態であっても、電源を入れたときに所定時間または継続して機構制御部に電力を与えるようにしておくと、この間、検知部材の検知動作が可能となる。よって、電源を投入したときにディスクの排出操作が正常に行われなかったときに、検知部材を動作させることで、ディスクを排出させることが可能になる。
【発明の効果】
【００１８】
本発明のディスク装置は、操作部の故障などでディスクを排出させる操作が行えないときに、検知部材を動作させて、機構制御部に直接に信号を与えることで、機構部を動作させて、ディスクを排出することが可能になる。
【図面の簡単な説明】
【００１９】
【図１】本発明の実施の形態のディスク装置の操作パネルを正面から見た正面図、
【図２】ディスク装置の内部構造の主要部を示す平面図、
【図３】ディスク装置の回路ブロック図、
【発明を実施するための形態】
【００２０】
図１と図２に示すディスク装置１は、金属製の筐体２を有しており、筐体２のＹ１方向に向く前面２ａに操作パネル３が固定されている。筐体２は１ＤＩＮなどの大きさの直方体であり、自動車の車室内のインストルメントパネルなどに埋設される。操作パネル３は、インストルメントパネルの表面に露出するように設置される。
【００２１】
図１に示すように、操作パネル３のＹ１方向に向く前面３ａには、横方向に細長く延びる挿入口４が開口している。挿入口４は、筐体２の内部に通じている。操作パネル３の前面３ａには、液晶表示パネルなどのディスプレイ５が設けられている。また、前面３ａには操作部６，７，８が設けられており、操作部８がイジェクト操作釦８となっている。
【００２２】
筐体２の内部に機構部１０が収納されている。機構部１０は、ディスクＤを搬入し、搬入したディスクＤを回転駆動部にクランプし、ディスクＤを回転駆動してディスクに記録された情報の再生や情報の記録を行うための各種部品を有している。
【００２３】
機構部１０は、金属板で形成された機構シャーシ１１を有している。筐体２の内部で、機構シャーシ１１が、複数のダンパー１２によって弾性支持されている。機構シャーシ１１の中央部に回転駆動部１３が設けられている。回転駆動部１３は、スピンドルモータＭｓとその回転軸に固定されたターンテーブルを有している。
【００２４】
機構シャーシ１１にはクランプ機構１４が設けられている。クランプ機構１４は、クランプアーム１５を有している。クランプアーム１５は金属板で形成されており、装置奥側（Ｙ２側）の両側部に設けられた軸受部１５ａ，１５ａが、機構シャーシ１１に固定された支持軸に回動自在に支持されている。クランプアーム１５のＹ１側の先部には、回転支持部１５ｂが設けられており、この回転支持部１５ｂに、合成樹脂製のクランプ部材１６が回転自在に支持されている。
【００２５】
クランプアーム１５の側部にトーションばねのクランプばね１７が設けられている。クランプばね１７の一方の腕部１７ａがクランプアーム１５に掛けられ、他方の腕部１７ｂが機構シャーシ１１に掛けられて、クランプアーム１５は、クランプ部材１６がターンテーブルに圧接する方向へ付勢されている。
【００２６】
機構シャーシ１１の図示左側部には、切換え部材２０が設けられている。切換え部材２０はＹ１−Ｙ２方向へ往復移動自在に支持されている。切換え部材２０には、クランプ制御突起２０ａが上方（図２の紙面手前方向）に向けて突出している。図２において、切換え部材２０がＹ２方向へ移動すると、クランプ制御突起２０ａによって、クランプアーム１５の持ち上げ部１５ｃが持ち上げられ、クランプ部材１６がターンテーブルから離れてクランプ解除状態となる。切換え部材２０がＹ１方向へ移動して、クランプ制御突起２０ａが持ち上げ部１５ｃから外れると、クランプばね１７によってクランプアーム１５が回動させられ、クランプ部材１６がターンテーブルに圧接してクランプ状態に設定される。
【００２７】
操作パネル３と回転駆動部１３との間に、搬送機構１８が設けられている。搬送機構１８は、ローラ軸１８ａとローラ軸１８ａの外周部に設けられた合成ゴム製の搬送ローラ１８ｂ，１８ｂを有している。筐体２の内部に、搬送ローラ１８ｂ，１８ｂに対向する合成樹脂製の挟持部材が設けられており、ローラ軸１８ａが、搬送ばねによって、挟持部材に圧接する方向へ付勢されている。挿入口４から挿入されたディスクＤは、搬送ローラ１８ｂ，１８ｂと挟持部材とで挟持され、搬送ローラ１８ｂ，１８ｂの回転力でＹ２方向へ搬入され、あるいはＹ１方向へ搬出される。
【００２８】
筐体２の内部に切換えモータＭｃが設けられている。この切換えモータＭｃの動力によって、ローラ軸１８ａが回転駆動され、さらに切換え部材２０が移動させられる。
【００２９】
図２に示すように、操作パネル３と搬送機構１８との間に検知部１９ａ，１９ｂ，１９ｃが設けられている。検知部１９ａ，１９ｂ，１９ｃは、いずれも光学検知器であり、ディスクＤの搬送経路を挟んで上下の一方に発光素子が他方に受光素子が設けられている。
【００３０】
図２に示すように、ディスクＤが装填完了位置（ｉ）に至り、ディスクＤの中心部がターンテーブルとクランプ部材１６とで挟持されてクランプされているときは、検知部１９ａ，１９ｂがディスクＤを検知し、検知部１９ｃがディスクＤを検知しない配置となっている。
【００３１】
機構シャーシ１１には光ヘッド２１が設けられている。光ヘッド２１は、回転駆動部１３にクランプされているディスクＤの記録面に沿ってディスクの半径方向へ移動し、ディスクＤに記録されているデータの再生またはデータの記録が行われる。
【００３２】
図３の回路ブロック図に示すように、筐体２の内部に、機構部１０を制御するための機構制御部２２が設けられている。機構制御部２２はマイクロコンピュータであり、光ヘッド２１、切換え部材２０と搬送機構１８を駆動する切換えモータＭｃ、回転駆動部１３のスピンドルモータＭｓを制御する。また、検知部１９ａ，１９ｂ，１９ｃの検知出力は機構制御部２２に与えられる。
【００３３】
図３に示すように、筐体２の内部にメイン基板３１が収納されている。このメイン基板３１には、マイクロコンピュータである装置制御部３２と電源回路３３およびオーディオアンプ３４が実装されている。
【００３４】
次に、前記ディスク装置１の動作を説明する。
ディスク装置１の電源が投入されると、電源ライン（ａ）を介して、電源回路３３から機構部１０の各機構部および機構制御部２２さらに検知部１９ａ，１９ｂ，１９ｃに直接に電力が供給される。ディスク装置１が自動車に搭載されている場合は、自動車のアクセサリースイッチをＯＮにすると、前記のように、ディスク装置１に電源が投入される。
【００３５】
ディスクＤの搬入動作とクランプ動作ならびに排出動作は、機構制御部２２の制御動作によって実行される。挿入口４からディスクＤが挿入されて、検知部１９ａがディスクを検知すると、その検知出力が機構制御部２２に与えられる。このとき、機構制御部２２の制御動作によって、切換えモータＭｃが始動し、ローラ軸１８ａが搬入方向へ始動する。ディスクＤは搬送ローラ１８ｂ，１８ｂと、挟持部材とで挟持され、搬送ローラ１８ｂ，１８ｂの回転力でＹ２方向へ搬入される。
【００３６】
ディスクＤが搬入される間、検知部１９ｂはディスク検知状態を継続し、検知部１９ａは、ディスクＤの中心穴が通過するときに非検知状態となるがその前後は検知状態となる。検知部１９ｃは非検知状態からディスク検知状態となり、ディスクＤが装填完了位置（ｉ）に至ると非検知状態となる。機構制御部２２は、検知部１９ａ，１９ｂ，１９ｃの検知出力の切換わりの組み合わせを監視して、正規のディスクＤが搬入されているか否かの判断を行う。装置制御部３２で正規のディスクＤの搬入ではないと判断すると、装置制御部３２から機構制御部２２にディスクを搬出する動作指示信号が与えられる。ここで、正規のディスクと判断されないものは、直径が８ｃｍなどの小さいディスクや、正確に円形でないディスク、中心部に穴が形成されていないディスクなどである。
【００３７】
機構部１０に装填検知部材が設けられており、正常なディスクＤが搬入されて装填完了位置（ｉ）に至ると、ディスクＤの外周縁で装填検知部材が押され、装填検知部材の移動力によって、切換えモータＭｃの動力伝達経路が切換えられて、切換えモータＭｃの動力が切換え部材２０に与えられる。その結果、切換え部材２０がＹ１方向へ移動し、クランプ制御突起２０ａが持ち上げ部１５ａから離れ、クランプばね１７の付勢力でクランプアーム１５が回転し、ディスクＤの中心部がターンテーブルとクランプ部材１６とで挟持されてディスクＤがクランプされる。
【００３８】
クランプ動作とほぼ同時に、切換え部材２０のＹ１方向への移動力によって、ローラ軸１８ａが下降させられて、搬送ローラ１８ｂ，１８ｂがディスクＤから離れる。さらに、切換え部材２０のＹ１方向への移動力により、筐体２内での機構シャーシ１１のロックが解除されて、機構シャーシ１１がダンパー１２で弾性支持された状態となる。
【００３９】
上記動作が完了して切換え部材２０がＹ１方向への移動終端に至ると、機構スイッチが動作する。機構スイッチの検知出力が機構制御部２２に与えられると、機構制御部２２からの指令により切換えモータＭｃが停止させられる。そして、機構制御部２２の制御動作によって、スピンドルモータＭｓが回転駆動されてディスクＤが回転駆動される。さらに、光ヘッド２１が始動して、ディスクＤに記録されたデータの再生や記録が行われる。
【００４０】
ディスクＤからの再生データの種別を選択したり、再生データの早送りや早戻しなどを行うときは、操作部６，７を操作する。このときの操作信号（ｂ）が装置制御部３２に与えられると、コマンドライン（ｃ）を介して、装置制御部３２から機構制御部２２に動作指示信号が与えられる。この動作指示信号に基づいて、機構制御部２２がスピンドルモータＭｓおよび光ヘッド２１を制御し、再生データの選択や、再生データの早送りや早戻しなど各種制御が実行される。
【００４１】
光ヘッド２１で読み出されたデータは、オーディオライン（ｄ）からオーディオアンプ３４に与えられて音声信号に復調され、さらにオーディオライン（ｅ）からスピーカ３５に与えられる。
【００４２】
ディスプレイ５には電源ライン（ｆ）から電力が供給されている。装置制御部３２から各種制御情報が表示信号ライン（ｇ）を経てディスプレイ５に与えられると、ディスプレイ５に各種情報が表示される。
【００４３】
ディスクＤを筐体２の内部から取り出すときは、操作部のひとつであるイジェクト操作釦８が操作される。イジェクト操作釦８の操作信号（ｂ）が装置制御部３２に与えられると、コマンドライン（ｃ）を介して、装置制御部３２から機構制御部２２にディスクを排出させる動作指示信号が与えられる。
【００４４】
機構制御部２２は、ディスクを排出する動作指示信号を受けると、スピンドルモータＭｓを停止させてディスクＤの回転を止め、さらに、切換えモータＭｃを始動する。スピンドルモータＭｓが既に停止しているときは、ただちに切換えモータＭｃを始動する。切換えモータＭｃによって、図２に示す切換え部材２０がＹ２方向へ移動させられ、且つローラ軸１８ａが搬出方向へ回転し始める。
【００４５】
切換え部材２０がＹ２方向へ移動すると、クランプ制御突起２０ａでクランプアーム１５が持ち上げられてクランプが解除されるとともに、切換え部材２０によって、ローラ軸１８ａが持ち上げられて、ディスクＤが搬送ローラ１８ｂ，１８ｂと挟持部材とで挟持される。搬送ローラ１８ｂ，１８ｂの回転により、ディスクＤが挿入口４から外部へ排出される。
【００４６】
この間、機構制御部２２が検知部１９ｃの検知出力を監視し、検知部１９ｃがディスク検知状態となり、その後に非検知状態となったときに、切換えモータＭｃを停止し、ディスクＤの搬出動作を停止させる。その結果、ディスクＤは、図２に示す（ｉｉ）のように、ディスクＤのほとんどの部分が挿入口４から突出し、Ｙ２側の端部が停止している搬送ローラ１８ｂ，１８ｂと挟持部材とで挟持されている状態で停止する。
【００４７】
さらにディスクＤが引き抜かれて、検知部１９ａ，１９ｂが非検知状態に切換わったら、機構制御部２２が、ディスクＤが筐体２の外に取り出されたと判断し、その情報がコマンドライン（ｃ）から装置制御部３２に与えられる。
【００４８】
ここで、回転駆動部１３にディスクＤがクランプされている状態で、イジェクト操作釦８が操作されたときに、装置制御部３２から機構制御部２２に、ディスクを排出させるための動作指示信号が正常に与えられないことがあり得る。例えば、イジェクト操作釦８が故障したとき、または、イジェクト操作釦８が正常に動作したときでも、装置制御部３２が動作不良となったり、コマンドライン（ｃ）が通信不良になったときに、装置制御部３２から機構制御部２２に、ディスクを排出させるための動作指示信号が正常に与えられなくなる。
【００４９】
この場合は、光を遮断できる薄い板状の工具４１を、挿入口４から筐体２の内部に挿入し、クランプされているディスクＤから外れている検知部１９ｃの光を工具４１で遮断する。
【００５０】
機構制御部２２は、ディスクＤがクランプされていると認識し、且つ検知部１９ａ，１９ｂがディスクを検知している状態で、検知部１９ｃが検知状態になると、ディスク排出のための動作を開始する制御を行う。すなわち、スピンドルモータＭｓを停止させ、切換えモータＭｃを始動して、ディスクＤの排出動作に移行する。そして、ディスクが（ｉｉ）の位置まで排出されたときに装置が停止する。
【００５１】
このディスク排出処理を行うためには、機構制御部２２と検知部１９ａ，１９ｂ，１９ｃに電力が供給されることが必要である。そのため、ディスク装置１の電源がＯＮになったとき、自動車に搭載されているときは自動車のアクセサリースイッチがＯＮになったときは、必ず、装置制御部３２の動作が正常であるか否かにかかわらず、電源ライン（ａ）を有効にして、機構制御部２２と検知部１９ａ，１９ｂ，１９ｃに直接に電力が供給される。
【００５２】
なお、ディスクを排出するための検知部材としては、検知部１９ｃの代わりに、ディスクＤが搬入される途中で検知状態となり、ディスクＤが装填完了位置（ｉ）に至ったときに、非検知状態となり、挿入口４から挿入された工具で検知状態に切換えられるものであれば、接点開閉式のスイッチであっても使用可能である。
【００５３】
また、ディスクＤが筐体２の内部に装填されているときに挿入口４がシャッタで閉じられるディスク装置の場合は、シャッタに、工具４１を挿入するためにスリットが形成されていることが好ましい。
【符号の説明】
【００５４】
１  ディスク装置
２  筐体
３  操作パネル
４  挿入口
６，７，８  操作部
１０  機構部
１１  機構シャーシ
１３  回転駆動部
１４  クランプ機構
１５  クランプアーム
１６  クランプ部材
１７  クランプばね
１８  搬送機構
２０  切換え部材
２０ａ  クランプ制御突起
１９ｃ  検知部
２１  光ヘッド
２２  機構制御部
３２  装置制御部
【図１】
0005541700.tif 000002
【図２】
0005541700.tif 000003
【図３】
0005541700.tif 000004